(57)【要約】【課題】  伝送路の不平衡成分の周波数特性を解析可能なマルチキャリア通信装置及びマルチキャリア通信方法を提供すること。【解決手段】  送信データは、デジタル処理部２によってＦＦＴ演算等のデジタル送信処理が行われ、Ｄ／Ａ変換部３、アナログ送信部４、結合トランス５を介して電力線１０へ伝送する。また、電力線１０から伝送されてきた信号は、結合トランス５、アナログ受信部６、Ａ／Ｄ変換部７を介して受信し、デジタル演算部２によってＦＦＴ演算等のデジタル受信処理が行われて受信データが得られる。不平衡成分検出部８は、伝送路における不平衡成分としてのコモンモード電流を検出し、Ａ／Ｄ変換部９を介してデジタル処理部２に入力される。ＦＦＴ部２１及び２２の少なくとも一方は、不平衡検出デジタルデータについてＦＦＴを行い、検出された不平衡成分の周波数軸上での検出値を算出する。【選択図】  図１
2006180367.tif 000002
【特許請求の範囲】
【請求項１】
マルチキャリア通信信号が伝送される伝送路に接続されて通信を行うマルチキャリア通信装置であって、
前記伝送路からの受信データ及び前記伝送路へ送信する送信データのうち、少なくとも一方についてデジタル処理を行うデジタル処理部を備え、
前記デジタル処理部は、時間−周波数変換を行う第一の時間−周波数変換部を有し、
前記デジタル処理部には、前記伝送路における不平衡成分の検出信号をデジタル変換した不平衡検出デジタルデータが入力され、
前記第一の時間−周波数変換部は、前記デジタル処理部に入力された不平衡検出デジタルデータについて時間−周波数変換を行い、検出された不平衡成分の周波数軸上での検出値を算出するマルチキャリア通信装置。
【請求項２】
請求項１記載のマルチキャリア通信装置であって、
前記第一の時間−周波数変換部は、送信時のマルチキャリア変調及び受信時のマルチキャリア復調のいずれか一方における時間−周波数変換の演算に用いられると共に、前記マルチキャリア変調又は復調を行っていないときに前記不平衡検出デジタルデータについて時間−周波数変換を行うマルチキャリア通信装置。
【請求項３】
請求項２記載のマルチキャリア通信装置であって、
前記デジタル処理部は、時間−周波数変換を行う第二の時間−周波数変換部を更に有し、
受信時において、前記第一の時間−周波数変換部及び前記第二の時間−周波数変換部のうち、一方の時間−周波数変換部が前記受信データの実数成分について時間−周波数変換を行うと共に、他方の時間−周波数変換部が前記受信データの虚数成分について時間−周波数変換を行い、
送信時において、前記第一の時間−周波数変換部が前記不平衡検出デジタルデータについて時間−周波数変換を行うと共に、前記第二の時間−周波数変換部が前記送信データについて時間−周波数変換を行うマルチキャリア通信装置。
【請求項４】
マルチキャリア通信信号が伝送される伝送路に接続されて通信を行うマルチキャリア通信方法であって、
前記伝送路における不平衡成分の検出信号をデジタル変換した不平衡検出デジタルデータが入力されるステップと、
前記入力された不平衡検出デジタルデータについて時間−周波数変換を行い、検出された不平衡成分の周波数軸上での検出値を算出するステップと、
を有するマルチキャリア通信方法。
【発明の詳細な説明】
【技術分野】
【０００１】
本発明は、マルチキャリア通信信号が伝送される伝送路に接続されて、通信を行うマルチキャリア通信装置及びマルチキャリア通信方法に関する。
【背景技術】
【０００２】
従来より、平衡状態にある一対の伝送路を用いてデータ伝送を行う平衡伝送システムが広く用いられている。この種の平衡伝送システムでは、例えば、電話回線などのように、専用の通信線などによる伝送路が用いられることが多く、通常、ある程度の平衡度が保たれている。
【０００３】
最近では、商用電源などの電力を搬送する電力線に高周波信号を重畳してデータ伝送を行う電力線通信システムが提案されている。この種の電力線通信システムとして、マルチキャリアの通信信号を送受信するマルチキャリア伝送方式の通信装置が知られている（例えば、特許文献１参照）。
【０００４】
【特許文献１】特開２００３−２１８８３１号公報
【発明の開示】
【発明が解決しようとする課題】
【０００５】
ところで、電力線通信システムにおいて伝送路として用いる電力線は、本来は通信用の線路ではないため、個々の宅内での配線状況、電源に接続される機器などによって、平衡度がばらつくことがある。このため、電力線を伝送路として用いた場合に、個々の環境によって平衡度が変化し、伝送特性が大きく異なってしまうおそれがある。
【０００６】
マルチキャリア伝送方式の電力線通信を行う際に、伝送路における平衡度を示す量として、コモンモード電流や輻射ノイズが挙げられる。そして、このコモンモード電流や輻射ノイズを測定して各キャリアに対応する周波数成分を検出し、コモンモード電流や輻射ノイズが大きなキャリアの周波数帯域の出力レベルを減少すれば、輻射を低減させることができる。
【０００７】
したがって、変動する伝送特性に追従して、伝送特性の周波数成分を解析可能なシステムが望まれている。
【０００８】
本発明は、上記従来の事情に鑑みてなされたものであって、伝送路の不平衡成分の周波数特性を解析可能なマルチキャリア通信装置及びマルチキャリア通信方法を提供することを目的とする。
【課題を解決するための手段】
【０００９】
本発明のマルチキャリア通信装置は、マルチキャリア通信信号が伝送される伝送路に接続されて通信を行うマルチキャリア通信装置であって、前記伝送路からの受信データ及び前記伝送路へ送信する送信データのうち、少なくとも一方についてデジタル処理を行うデジタル処理部を備え、前記デジタル処理部は、時間−周波数変換を行う第一の時間−周波数変換部を有し、前記デジタル処理部には、前記伝送路における不平衡成分の検出信号をデジタル変換した不平衡検出デジタルデータが入力され、前記第一の時間−周波数変換部は、前記デジタル処理部に入力された不平衡検出デジタルデータについて時間−周波数変換を行い、検出された不平衡成分の周波数軸上での検出値を算出する。
【００１０】
この構成により、マルチキャリア通信装置にて、伝送路の不平衡成分の周波数解析を行うことができるので、変動する伝送特性に追従した周波数成分の解析が可能となる。
【００１１】
また、本発明のマルチキャリア通信装置において、前記第一の時間−周波数変換部は、送信時のマルチキャリア変調及び受信時のマルチキャリア復調のいずれか一方における時間−周波数変換の演算に用いられると共に、前記マルチキャリア変調又は復調を行っていないときに前記不平衡検出デジタルデータについて時間−周波数変換を行う。
【００１２】
この構成により、送信時又は受信時に用いられる時間−周波数変換部と、周波数解析用の時間−周波数変換部とを共用するので、回路規模やコスト、消費電力等を増加させることなく、不平衡成分の周波数解析を行うことができる。
【００１３】
また、本発明のマルチキャリア通信装置において、前記デジタル処理部は、時間−周波数変換を行う第二の時間−周波数変換部を更に有し、受信時において、前記第一の時間−周波数変換部及び前記第二の時間−周波数変換部のうち、一方の時間−周波数変換部が前記受信データの実数成分について時間−周波数変換を行うと共に、他方の時間−周波数変換部が前記受信データの虚数成分について時間−周波数変換を行い、送信時において、前記第一の時間−周波数変換部が前記不平衡検出デジタルデータについて時間−周波数変換を行うと共に、前記第二の時間−周波数変換部が前記送信データについて時間−周波数変換を行う。
【００１４】
例えば、実係数ウェーブレットフィルタバンクを用いたデジタル変復調処理によりデータ通信を行うマルチキャリア伝送方式において、受信データとして複素情報を扱うような場合は受信用に二つの時間−周波数変換部が必要となる。上記の構成により、送信時に、不使用となる二つの時間−周波数変換部のうちの一方によって不平衡成分の周波数解析を行うことにより、新たに不平衡成分の周波数解析用の時間−周波数変換部を設ける必要がないので、回路規模やコスト、消費電力等を増加させることなく、不平衡成分の周波数解析を行うことができる。
【００１５】
本発明のマルチキャリア通信方法は、マルチキャリア通信信号が伝送される伝送路に接続されて通信を行うマルチキャリア通信方法であって、前記伝送路における不平衡成分の検出信号をデジタル変換した不平衡検出デジタルデータが入力されるステップと、前記入力された不平衡検出デジタルデータについて時間−周波数変換を行い、検出された不平衡成分の周波数軸上での検出値を算出するステップと、を有する。
【００１６】
この方法により、マルチキャリア通信装置にて、伝送路の不平衡成分の周波数解析を行うことができるので、変動する伝送特性に追従した周波数成分の解析が可能となる。
【発明の効果】
【００１７】
本発明によれば、伝送路の不平衡成分の周波数特性を解析可能なマルチキャリア通信装置を提供することができる。
【発明を実施するための最良の形態】
【００１８】
（第１の実施形態）
本発明の第１の実施形態では、平衡伝送路によりデータ伝送を行う平衡伝送システムにおける伝送路の不平衡成分の周波数特性を解析する不平衡成分の解析処理、送信処理、及び受信処理を行うマルチキャリア通信装置の構成例を示す。本実施形態のマルチキャリア通信装置及びマルチキャリア通信方法は、電力線を伝送路に用いた電力線通信システムなどの平衡伝送システムに好適に用いられる。また、データ通信としては、周波数分割多重信号やＯＦＤＭ（Orthogonal Frequency Division Multiplexing）などを用いる電力線通信やＡＤＳＬ（Asymmetric Digital Subscriber Line）などのデータ通信に適用可能である。
【００１９】
図１は、本発明の第１の実施形態に係るマルチキャリア通信装置の概略構成を示すブロック図である。図１に示すように、本実施形態のマルチキャリア通信装置１は、宅内電灯線等の電力線１０を伝送路として利用し、ＯＦＤＭ等を用いたマルチキャリア伝送方式によってデータの送受信を行うものであり、電力線通信モデムとして用いられる。なお、通信装置１は、通信機能を有した電気機器であれば、電力線通信モデムに限る必要はなく、例えば、通信機能を有したテレビなどの家電機器（いわゆるネットワーク家電）やパーソナルコンピュータであってもよい。また、マルチキャリア通信装置として、送信又は受信のいずれか一方を行う装置であってもよい。
【００２０】
図１に示すように、マルチキャリア通信装置１は、デジタル処理部２と、送信データについてデジタルアナログ変換を行うＤ／Ａ変換部３と、アナログ送信部４と、結合用トランス５と、アナログ受信部６と、Ａ／Ｄ変換部７と、不平衡成分検出部８と、Ａ／Ｄ変換部９とを備える。
【００２１】
デジタル処理部２は、電力線１０から受信したデータ及び電力線１０へ送信する送信データについてデジタル処理を行う。また、デジタル処理部２は、二つのＦＦＴ部２１、２２を有して構成される。ＦＦＴ部２１、２２は、時間−周波数変換部に対応するものであり、マルチキャリア伝送方式のデジタル処理としての送信時のマルチキャリア変調における逆ＦＦＴ演算、受信時のマルチキャリア復調におけるＦＦＴ演算、及び、不平衡成分検出部８により検出された検出信号についての周波数解析用のＦＦＴ演算を行う。なお、ＦＦＴ（高速フーリエ変換）は、時間−周波数変換の一例であって、マルチキャリア通信信号について時間−周波数変換を行う変換方法であれば、特にこれに限る必要はない。
【００２２】
Ｄ／Ａ変換部３は、デジタル処理部２によりマルチキャリア変調等のデジタル処理が行われた送信データについてアナログ変換する。アナログ送信部４は帯域通過フィルタや増幅器等を有して構成され、Ｄ／Ａ変換部３から出力されたアナログ送信信号に対して送信処理を行う。アナログ送信部４から出力されたアナログ送信信号は、結合用トランス５を介して電力線１０へ送信される。
【００２３】
結合用トランス５は、アナログ送信部４、アナログ受信部６及び不平構成部検出部８と、電力線１０とを結合する。
【００２４】
アナログ受信部６は、帯域通過フィルタ等を有して構成され、電力線１０から結合トランス５を介して受信したアナログ受信信号に対して受信処理を行う。Ａ／Ｄ変換部７は、アナログ受信部６から出力されたアナログ受信信号についてデジタル変換する。デジタル変換された受信信号は、デジタル処理部２にてデジタル受信処理がなされる。
【００２５】
不平衡成分検出部８は、トランスや抵抗ブリッジ、電流計や電圧計等を用いて、一対の伝送導体からなる電力線１０のコモンモード電流を検出することで、伝送路の不平衡成分を検出する。Ａ／Ｄ変換部９は、不平衡成分検出部８で検出したコモンモード電流をデジタルデータへ変換する。Ａ／Ｄ変換部９によって出力された、伝送路の不平衡成分のデジタルデータ（不平衡検出デジタルデータ）Ｓ９は、デジタル処理部２にて不平衡成分の周波数軸上での検出値が算出される。
【００２６】
デジタル処理部２にて算出された不平衡成分の周波数軸上での検出結果は、例えば、周波数軸上での各キャリア毎のコモンモード電流の振幅として得られ、デジタル処理部２における送信制御に用いられる。この送信制御は、例えば、各キャリア毎のコモンモード電流の振幅が予め設定したしきい値よりも大きい場合には、該当するキャリアの送信レベルを低減させることで、コモンモード電流を低減させる。これにより、伝送路からの輻射レベルを低減させることができる。
【００２７】
なお、不平衡成分検出部８は、必ずしもマルチキャリア通信装置１が有している必要はなく、例えば、通信相手のマルチキャリア通信装置が不平衡成分検出部を有して、その不平衡成分検出部により検出された検出信号を利用することも可能である。
【００２８】
図２は、本発明の第１の実施形態に係るＦＦＴ部による処理の第一の例を示す説明図であり、図２（Ａ）は送信時、図２（Ｂ）は受信時について示す。図２には、ＦＦＴ部２１は送信時のマルチキャリア変調処理用に、ＦＦＴ部２２は受信時のマルチキャリア復調処理用に設けられている場合の例が示されている。
【００２９】
図２（Ａ）に示すように、送信時において、ＦＦＴ部２１は、送信データに対してマルチキャリア変調を行うための逆ＦＦＴ演算処理に用いられる。そして、ＦＦＴ部２２は、Ａ／Ｄ変換部９から出力された、不平衡検出デジタルデータＳ９が入力され、ＦＦＴを行って不平衡成分の時間軸上の検出データを周波数軸上のデータに変換し、マルチキャリア通信信号の複数キャリアに対応する、周波数帯域毎の不平衡成分の検出値を算出する。
【００３０】
また、図２（Ｂ）に示すように、受信時において、ＦＦＴ部２２は、受信データに対してマルチキャリア復調を行うためのＦＦＴ演算処理に用いられる。ＦＦＴ部２１は、送信時のＦＦＴ部２１と同様に、Ａ／Ｄ変換部９から出力された、不平衡検出デジタルデータＳ９が入力され、ＦＦＴを行って不平衡成分の時間軸上の検出データを周波数軸上のデータに変換し、マルチキャリア通信信号の複数キャリアに対応する、周波数帯域毎の不平衡成分の検出値を算出する。
【００３１】
なお、不平衡成分の周波数解析用のＦＦＴ処理は、必ずしも、送受信時の双方で行う必要はなく、送信時、受信時のいずれか一方で行ってもよい。このように、送信処理、受信処理用にＦＦＴがそれぞれ設けられている場合に、いずれか少なくとも一方のＦＦＴが、送信又は受信処理を行っていないときに不平衡成分の周波数解析用のＦＦＴ演算を行うことで、送信時又は受信時に用いられるＦＦＴと周波数解析用のＦＦＴとを共用するので、回路規模やコスト、消費電力等を増加させることなく、不平衡成分の周波数解析を行うことができる。
【００３２】
図３は、本発明の第１の実施形態に係るＦＦＴ部による処理の第二の例を示す説明図であり、図３（Ａ）は送信時、図３（Ｂ）は受信時について示す。図３には、ＦＦＴ部２１は送信時のマルチキャリア変調処理用及び受信時のマルチキャリア復調処理用に、ＦＦＴ部２２は不平衡成分の周波数解析用に設けられている場合の例が示されている。
【００３３】
図３（Ａ）に示すように、送信時において、ＦＦＴ部２１は、送信データに対してマルチキャリア変調を行うための逆ＦＦＴ演算処理に用いられ、図３（Ｂ）に示すように、受信時において、受信データに対してマルチキャリア復調を行うためのＦＦＴ演算処理に用いられる。
【００３４】
また、図３（Ａ）及び図３（Ｂ）に示すように、ＦＦＴ部２２は、そして、ＦＦＴ部２２は、Ａ／Ｄ変換部９から出力された、不平衡検出デジタルデータＳ９が入力され、ＦＦＴを行って不平衡成分の時間軸上の検出データを周波数軸上のデータに変換し、マルチキャリア通信信号の複数キャリアに対応する、周波数帯域毎の不平衡成分の検出値を算出する。
【００３５】
なお、不平衡成分の周波数解析用のＦＦＴ処理は、必ずしも、送受信時の双方で行う必要はなく、送信時、受信時のいずれか一方で行ってもよい。このように、送信処理、受信処理用にＦＦＴがそれぞれ設けられている場合に、いずれか少なくとも一方のＦＦＴを送信及び受信処理に共用し、他方のＦＦＴを不平衡成分の周波数解析用のＦＦＴ演算を行うことで、２つのＦＦＴを用いて、送信処理、受信処理及び不平衡成分の周波数解析処理を行うことができる。
【００３６】
このような本発明の第１の実施形態によれば、マルチキャリア通信装置にて、デジタル処理部にＦＦＴを備え、そのＦＦＴを用いて伝送路の不平衡成分の周波数解析を行うことができるので、変動する伝送特性にリアルタイムで追従した周波数成分の解析が可能となる。
【００３７】
（第２の実施形態）
以下、本発明の第２の実施形態について、図面を参照して説明する。本実施形態のマルチキャリア通信装置１は、実係数ウェーブレットフィルタバンクを用いたデジタル変復調処理によりデータ通信を行うマルチキャリア伝送方式において、受信データとして複素情報を扱う場合について説明する。本実施形態のマルチキャリア通信装置の概略構成は、図１に示した第１の実施形態のマルチキャリア通信装置１の概略構成と同様であり、以下の説明では、第１の実施形態と異なる処理を中心に説明する。
【００３８】
図４は、本発明の第２の実施形態に係るマルチキャリア通信装置のマルチキャリア変復調部の概略構成を示すブロック図であり、図４（Ａ）は送信時におけるマルチキャリア変調部、図４（Ｂ）は受信時におけるマルチキャリア復調部をそれぞれ示す。なお、これらのマルチキャリア変調部及びマルチキャリア復調部は、図１に示されるデジタル処理部２に含まれるが、図１には図示していない。
【００３９】
図４（Ａ）に示すように、本実施形態のマルチキャリア変調部は、送信データに対して逆ウェーブレット変換を行う逆ウェーブレット変換部３０を備える。逆ウェーブレット変換部３０は、送信データに対して離散コサイン変換を行う離散コサイン変換部３１と、離散コサイン変換部３１の出力に対してフィルタリング処理を行うフィルタ部３２と、フィルタ部３２から出力されたパラレルデータをシリアルデータに変換するパラレル／シリアル変換部（以下、Ｐ／Ｓ変換部）３３とを有する。
【００４０】
図４（Ｂ）に示すように、本実施形態のマルチキャリア復調部は、受信データに対してウェーブレット変換を行う第一ウェーブレット変換器４０及び第二ウェーブレット変換器５０を備える。ここで、先に述べたように、本実施形態では、受信データとして、複素情報を扱う実係数ウェーブレットフィルタバンクを用いたデジタル変復調処理によりデータ通信を行うマルチキャリア伝送方式が採用されているので、マルチキャリア復調部は、実数データ用及び虚数データ用の二つのウェーブレット変換器を有している。
【００４１】
第一ウェーブレット変換器４０は、シリアルデータである受信データをパラレルデータに変換するシリアル／パラレル変換部（以下、Ｓ／Ｐ変換部）４１と、Ｓ／Ｐ変換部４１によってパラレル変換されたデータから実数データを抽出する実数フィルタ部４２と、抽出された実数データに対して離散コサイン変換を行う離散コサイン変換部４３とを有する。
【００４２】
また、第二ウェーブレット変換器５０は、シリアルデータである受信データをパラレルデータに変換するＳ／Ｐ変換部５１と、Ｓ／Ｐ変換部５１によってパラレル変換されたデータから虚数データを抽出する虚数フィルタ部５２と、抽出された虚数データに対して離散サイン変換を行う離散サイン変換部５３とを有する。
【００４３】
このようにして、本実施形態のマルチキャリア通信装置１は、第一ウェーブレット変換器４０により取得される受信データの実数成分と、第二ウェーブレット変換器５０により取得される受信データの虚数成分とを用いて、受信データとして複素情報を扱うことができる。
【００４４】
ところで、上述の離散コサイン変換部３１、４３は、例えば、タイプＩＶの離散コサイン変換器、離散サイン変換器５３は、例えば、タイプＩＶの離散サイン変換器である。
【００４５】
図５は、離散コサイン変換部又は離散サイン変換部の概略構成を示すブロック図である。図５に示すように、離散コサイン変換部３１、４３又は離散サイン変換部５３は、入力された信号に対して所定の時間シフトを行う時間シフト部６１と、時間シフトされた信号に対して複素ＦＦＴ演算を行う複素ＦＦＴ部６２と、ＦＦＴ演算された信号に対して所定の時間シフトを行う周波数シフト部６３とを有する。
【００４６】
このように、離散コサイン変換及び離散サイン変換処理では、ＦＦＴ演算を行うものであり、図４に示したように、受信時に、受信データの実数成分及び虚数成分を復調するため、離散コサイン変換部４３及び離散サイン変換部５３の両方を設ける場合には、２つのＦＦＴ部が必要となる。ここで、図１に示したデジタル処理部２におけるＦＦＴ部２１、２２を用いてこれらの処理を行う場合について説明する。
【００４７】
図６は、本発明の第２の実施形態に係るＦＦＴ部による処理例を示す説明図であり、図６（Ａ）は送信時、図６（Ｂ）は受信時について示す。
【００４８】
図６（Ａ）に示すように、送信時において、ＦＦＴ部２１は、送信データに対してマルチキャリア変調を行う際に行われる離散コサイン変換におけるＦＦＴ演算処理に用いられる。そして、ＦＦＴ部２２は、Ａ／Ｄ変換部９から出力された、不平衡検出デジタルデータＳ９が入力され、ＦＦＴを行って不平衡成分の時間軸上の検出データを周波数軸上のデータに変換し、マルチキャリア通信信号の複数キャリアに対応する周波数帯域毎の不平衡成分の検出値を算出する。
【００４９】
また、図６（Ｂ）に示すように、受信時において、ＦＦＴ部２１及びＦＦＴ部２２は、その一方のＦＦＴ部が、受信データに対してマルチキャリア復調を行う際に行われる離散コサイン変換におけるＦＦＴ演算処理に用いられ、他方のＦＦＴ部が、受信データに対してマルチキャリア復調を行う際に行われる離散サイン変換におけるＦＦＴ演算処理に用いられる。
【００５０】
したがって、受信時には二つのＦＦＴ部２１、２２の両方を用いて復調処理を行い、送信時には、二つのＦＦＴ部２１、２２の一方を用いて変調処理、他方を用いて不平衡成分の周波数解析処理を行うことで、２つのＦＦＴを用いて、送信処理、受信処理及び不平衡成分の周波数解析処理を行うことができる。
【００５１】
このような本発明の第２の実施形態によれば、実係数ウェーブレットフィルタバンクを用いたデジタル変復調処理によりデータ通信を行うマルチキャリア伝送方式において、受信データとして複素情報を扱う場合、送信時に不使用となる二つのＦＦＴ部のうちの一方によって不平衡成分の周波数解析を行うことにより、新たに不平衡成分の周波数解析用のＦＦＴ部を設ける必要がないので、回路規模やコスト、消費電力等を増加させることなく、不平衡成分の周波数解析を行うことができる。
【産業上の利用可能性】
【００５２】
本発明のマルチキャリア通信装置及びマルチキャリア通信方法は、伝送路の不平衡成分の周波数特性を解析可能な効果を有し、平衡伝送路によりデータ伝送を行う平衡伝送システムにおける通信装置等に有用である。
【図面の簡単な説明】
【００５３】
【図１】本発明の第１の実施形態に係るマルチキャリア通信装置の概略構成を示すブロック図
【図２】本発明の第１の実施形態に係るＦＦＴ部による処理の第一の例を示す説明図
【図３】本発明の第１の実施形態に係るＦＦＴ部による処理の第二の例を示す説明図
【図４】本発明の第２の実施形態に係るマルチキャリア通信装置のマルチキャリア変復調部の概略構成を示すブロック図
【図５】離散コサイン変換部又は離散サイン変換部の概略構成を示すブロック図
【図６】本発明の第２の実施形態に係るＦＦＴ部による処理例を示す説明図
【符号の説明】
【００５４】
１  マルチキャリア通信装置
２  デジタル処理部
３  Ｄ／Ａ変換部
４  アナログ送信部
５  結合用トランス
６  アナログ受信部
７、９  Ａ／Ｄ変換部
８  不平衡成分検出部
１０  電力線
２１、２２  ＦＦＴ部
３０  逆ウェーブレット変換部
３１  離散コサイン変換部
３２  フィルタ部
３３  パラレル／シリアル変換部
４０  第一ウェーブレット変換部
４１  シリアル／パラレル変換部
４２  実数フィルタ部
４３  離散コサイン変換部
５０  第二ウェーブレット変換部
５１  シリアル／パラレル変換部
５２  虚数フィルタ部
５３  離散サイン変換部
【図１】
2006180367.tif 000003
【図２】
2006180367.tif 000004
【図３】
2006180367.tif 000005
【図４】
2006180367.tif 000006
【図５】
2006180367.tif 000007
【図６】
2006180367.tif 000008